(57)【特許請求の範囲】
【請求項１】
加速器により加速された荷電粒子ビームを照射対象に照射する粒子線照射装置であって、
前記荷電粒子ビームが通過する位置によって失うエネルギーが異なる厚さ分布を有するリッジフィルタと、前記荷電粒子ビームを偏向する偏向器と、前記荷電粒子ビームが前記リッジフィルタの前記厚さ分布を直線状に通過するように、かつ前記荷電粒子ビームが前記リッジフィルタの少なくともリッジ１山分の位置関係にある二つの状態を繰り返すように、前記偏向器を制御する制御器を備えた粒子線照射装置。
【請求項２】
前記偏向器は、前記荷電粒子ビームが入射するビーム軸から離れる向きに偏向する第１の上流側偏向器と、前記第１の上流側偏向器の下流側に配置され、前記荷電粒子ビームを前記ビーム軸に平行な向きに偏向する第２の上流側偏向器を有することを特徴とする請求項１記載の粒子線照射装置。
【請求項３】
前記リッジフィルタの下流側に前記荷電粒子ビームを偏向する下流側偏向器を有し、
前記下流側偏向器は、前記荷電粒子ビームを該荷電粒子ビームが入射するビーム軸の方へ偏向する第１の下流側偏向器と、前記第１の下流側偏向器の下流に配置され、前記荷電粒子ビームを前記ビーム軸に平行な向きに偏向する第２の下流側偏向器を有することを特徴とする請求項１または２に記載の粒子線照射装置。
【請求項４】
前記下流側偏向器は、前記荷電粒子ビームを該荷電粒子ビームが入射するビーム軸に一致させることを特徴とする請求項３記載の粒子線照射装置。
【請求項５】
前記リッジフィルタの下流側に、前記荷電粒子ビームを該荷電粒子ビームが入射するビーム軸に交差するＸＹ面内で走査するビーム走査手段を有することを特徴とする請求項１または２に記載の粒子線照射装置。
【請求項６】
前記下流側偏向器の下流側に、前記荷電粒子ビームを該荷電粒子ビームが入射するビーム軸に交差するＸＹ面内で走査するビーム走査手段を有することを特徴とする請求項３または４に記載の粒子線照射装置。
【請求項７】
前記ビーム走査手段は、前記荷電粒子ビームをＸ方向に走査するＸ方向スキャニング電磁石と、前記荷電粒子ビームをＹ方向に走査するＹ方向スキャニング電磁石を有することを特徴とする請求項５または６に記載の粒子線照射装置。
【請求項８】
前記ビーム走査手段は、前記荷電粒子ビームが前記ビーム軸を中心に回転させるＸ方向ワブラー電磁石及びＹ方向ワブラー電磁石を有することを特徴とする請求項５または６に記載の粒子線照射装置。
【請求項９】
前記リッジフィルタの下流側に、前記荷電粒子ビームを該荷電粒子ビームが入射するビーム軸に交差するＸＹ面内で走査するビーム走査手段を有し、
前記ビーム走査手段は、前記リッジフィルタの側に配置され、前記荷電粒子ビームをＸ方向に走査するＸ方向ビーム走査手段と、前記荷電粒子ビームをＹ方向に走査するＹ方向スキャニング電磁石を有し、
前記Ｘ方向ビーム走査手段は、前記荷電粒子ビームをＸ方向に走査するＸ方向スキャニング電磁石と、前記Ｘ方向スキャニング電磁石の上流に配置され、前記リッジフィルタを通過した荷電粒子ビームを前記Ｘ方向スキャニング電磁石に導くように偏向するＸ方向下流側偏向器を有する請求項１または２に記載の粒子線照射装置。
【請求項１０】
前記リッジフィルタの下流側に、前記荷電粒子ビームを該荷電粒子ビームが入射するビーム軸に交差するＸＹ面内で走査するビーム走査手段を有し、
前記ビーム走査手段は、前記荷電粒子ビームが前記ビーム軸を中心に回転させるＸ方向ワブラー電磁石及びＹ方向ワブラー電磁石を有し、
前記Ｘ方向ワブラー電磁石は前記リッジフィルタの側に配置され、
前記Ｘ方向ワブラー電磁石の上流に配置され、前記リッジフィルタを通過した荷電粒子ビームを前記Ｘ方向ワブラー電磁石に導くように偏向するＸ方向下流側偏向器を有する請求項１または２に記載の粒子線照射装置。
【請求項１１】
前記リッジフィルタは前記異なる厚さ分布の山を複数有することを特徴とする請求項１乃至１０のいずれか１項に記載の粒子線照射装置。
【請求項１２】
荷電粒子ビームを発生させ、前記加速器により所定のエネルギーまで加速するイオンビーム発生装置と、前記イオンビーム発生装置により加速された荷電粒子ビームを輸送するイオンビーム輸送系と、前記イオンビーム輸送系で輸送された荷電粒子ビームを照射対象に照射する粒子線照射装置とを備え、
前記粒子線照射装置は、請求項１乃至１１のいずれか１項に記載の粒子線照射装置であることを特徴とする粒子線治療装置。
【発明の詳細な説明】
【技術分野】
【０００１】
この発明は、粒子線を用いて癌等を治療する粒子線照射装置及び粒子線治療装置に関する。
【背景技術】
【０００２】
粒子線治療装置は、「体の内部奥深くで選択的に効果を発揮する」といった粒子線の特徴を活かした、癌や腫瘍等を治療するための装置であり、その技術内容はさまざまな文献よりうかがい知ることができる（例えば、特許文献１）。
【０００３】
粒子線が「体の内部奥深くで選択的に効果を発揮する」ことは、粒子線のもつブラッグピークを有する性質に由来する。特許文献１の図１に示されているように、各種放射線の中、Ｘ線、ガンマ線などの質量の小さな放射線ビームは、体の表面に近い部分で相対線量が最大となり、体の表面からの深さが増加するとともにその相対線量は低下する。一方、陽子線、炭素線などの質量の大きな粒子線ビームは体の表面から深い部分でそれらのビームが止まる位置、すなわちその粒子線ビームの飛程の直前に相対線量がピーク値となる。このピーク値が、ブラッグピークＢＰ（Bragg Peak）と呼ばれている。
【０００４】
このブラッグピークＢＰは、簡単に言えば、「体の内部で選択的に効果を発揮する場所は、点のように狭い」ことに相当するが、粒子線ビームを照射目標の全体に一様な線量分布となるように照射したいため、粒子線の「照射野（照射フィールド）の拡大」が行なわれる。
【０００５】
照射野拡大は、粒子線の進行方向（Ｚ方向）への拡大と、Ｚ方向と直行する方向（ＸＹ平面方向）への拡大がある。本明細書では特許文献１にならって、Ｚ方向への拡大を「深さ方向の照射野拡大」とよび、ＸＹ平面方向への拡大を「横方向の照射野拡大」とよぶことにする。
【０００６】
典型的なパッシブ方式の横方向照射野拡大に、散乱体法があげられる。散乱体法は、粒子線照射装置の粒子線照射部において粒子線ビームを散乱体に照射することにより、粒子線ビームに横方向の拡がりを持たせ、その中心部分の一様な線量部分を切り取って、目標部位に照射する方法である。散乱体が一枚であると、一様な線量部分を充分に大きくすることができない場合には、２枚の散乱体を用いて一様な線量部分を拡大することもあり、これは二重散乱体法と呼ばれている。
【０００７】
典型的なアクティブ方式の横方向照射野拡大に、ペンシルビーム走査法（スキャニングともいう）があげられる。ペンシルビーム走査法は、粒子線照射装置の粒子線照射部の上流部分に設けられた偏向電磁石を用いて粒子線ビームをＸＹ面内で走査し、その粒子線ビームの照射位置を時間とともに移動させることにより、広い照射野を得る方法である。この方法では、一様な線量分布は、細い径のペンシルビームの隣り合う照射スポットを適切に重ね合わせることにより得ることができる。ペンシルビームの走査方法として、時間に対して連続的に走査するラスター法、時間に対してステップ状に走査するスポット法がある。なお、この方法では、粒子線ビームは、通常ペンシルビームと呼ばれる細い径でそのまま目標部位に向けて照射されるが、薄い散乱体を用いてペンシルビームの径を少し拡大することもある。
【０００８】
パッシブ方式とアクティブ方式の中間の方式も考えられている。典型的な中間方式の横方向照射野拡大に、ワブラー法があげられる。ワブラー法は、粒子線照射装置の粒子線照
射部の上流部分に設けられる２台の偏向電磁石を用いて、粒子線ビームをドーナツ状に走査させ、このドーナツ状に走査される粒子線ビームを散乱体に照射して、横方向照射野を拡大する方法である。
【０００９】
次に、深さ方向の照射野拡大について述べる。前述のように、粒子線ビームの照射方向におけるブラッグピークＢＰの幅は狭いが、このブラッグピークＢＰの照射方向における幅を拡大するのが深さ方向の照射野拡大である。この照射方向における幅を拡大したブラッグピークＢＰは、拡大ブラッグピークＳＯＢＰ（Spread-Out Bragg Peak）と呼ばれる。
【００１０】
典型的なパッシブ方式の深さ方向照射野拡大に、リッジフィルタまたはレンジモジュレータを用いる方法があげられる。リッジフィルタまたはレンジモジュレータは、いずれも粒子線ビームの照射方向において、エネルギー変調器の材料の厚さが変調されている。これらのリッジフィルタまたはレンジモジュールは、その変調された厚さに応じて粒子線ビームのエネルギーを減少させ、エネルギーをその変調された厚さに応じて変化させ、結果として強さの変化する多種のエネルギーが混ざった粒子線ビームを照射目標に向けて照射する。エネルギーの強さに応じて粒子線ビームの飛程が変化するので、多種の飛程を持った粒子線ビームを照射目標に照射することができる。このように、リッジフィルタ又はレンジモジュレータを用いれば、深さ方向に照射野を拡大することができる。しかし、前記多種の飛程は一様であるため、患者の体内へと照射された粒子線は、一様の体内深さ部分で効果を発揮する。簡単な例でこのことを説明する。例えば、加速器によって、ブラッグピークの位置が体内深さ１５ｃｍとなるように粒子線が加速されているとする。このとき、リッジフィルタ又はレンジモジュレータを用いると、拡大されたブラッグピークは、一様に例えば体内深さ１０ｃｍ〜１５ｃｍとなるが、患部の形状に拠らず一様な値となってしまうところに問題がある。
【００１１】
そこで、リッジフィルタまたはレンジモジュレータを用いるときは、あわせて、ボーラスという装置を利用する。ボーラスは、特許文献１の図２に示すように、ディスタル形状（深さ方向における被治療部位の変化形状）に合わせて、患者毎に加工されたエネルギー変調器であり、ポリエチレンまたはワックスを用いて作られる。このボーラスＢＬを用いることにより、Ｘ、Ｙ平面に一様な照射線量を照射しながら、しかもブラッグピークＢＰをディスタル形状に合わせることができる。
【００１２】
リッジフィルタは、一般的に、例えば特許文献２の図２に示すように、概三角柱を組み合わせた形状を有し、特許文献２の図３のような断面形状であり、特許文献２の図１のように照射系に組み込まれる。
【００１３】
リッジフィルタを用いた粒子線治療装置においては、特許文献２などに示されているように、散乱が不十分になる問題が報告されている。粒子線が陽子線である場合は、粒子線が比較的軽いため空気と被照射体とによって充分散乱され、粒子線は照射野において空間的に充分混合され得ることになる。しかし、粒子線が炭素線などの比較的重い粒子の粒子線である場合、散乱が生じ難いため粒子線の飛程終端では均一な照射線量分布とはならず、リッジフィルタ１０のリッジの山に相当する位置で線量の谷ができてしまう。つまり、飛程終端位置付近の線量分布には、特許文献２の図４（２）に示すような縞状の周期分布ができてしまうという問題点があった。
【００１４】
特許文献２には、上記のリッジフィルタを用いるときに生じる散乱が不十分となる問題に対して、照射野の飛程終端に均一な線量分布を形成することを目的とし、粒子線照射中にこのリッジフィルタを、粒子線の進行方向と直交する方向に駆動させることによって解決する装置が提案されている。
【先行技術文献】
【特許文献】
【００１５】
【特許文献１】国際公開第ＷＯ２００６／０８２６５１号パンフレット
【特許文献２】特開２００７−７５２４５号公報
【発明の概要】
【発明が解決しようとする課題】
【００１６】
たしかに、特許文献２に開示されているように、リッジフィルタを並進もしくは回転により機械的に揺動させることによって、均一な線量分布を効果的に達成することが先行技術として示されている。
【００１７】
しかし、例えば特許文献２の図１にみられるように、リッジフィルタは患者に近い場所に設置されており、そのリッジフィルタを駆動させることは、騒音をともない、患者に対して不快感や不安感を与えてしまうという問題点があった。
【００１８】
本発明の目的は、リッジフィルタを駆動することに伴う騒音をなくし、患者に対して不快感や不安感を与えることなく、特許文献２の装置で得られるものと同等な、均一な線量分布を達成することである。
【課題を解決するための手段】
【００１９】
荷電粒子ビームが通過する位置によって失うエネルギーが異なる厚さ分布を有するリッジフィルタと、荷電粒子ビームを偏向する偏向器と、荷電粒子ビームがリッジフィルタの前記厚さ分布を直線状に通過するように、かつ荷電粒子ビームがリッジフィルタの少なくともリッジ１山分の位置関係にある二つの状態を繰り返すように、偏向器を制御する制御器を備えた。
【発明の効果】
【００２０】
本発明に係る粒子線照射装置は、荷電粒子ビームがリッジフィルタの異なる厚さ分布を直線状に通過するように、かつ荷電粒子ビームがリッジフィルタの少なくともリッジ１山分の位置関係にある二つの状態を繰り返すように、制御されるので、リッジフィルタを駆動することに伴う騒音をなくし、患者に対して不快感や不安感を与えることなく、均一な線量分布を達成することができる。
【図面の簡単な説明】
【００２１】
【図１】本発明の粒子線治療装置の概略構成図である。
【図２】図１の粒子線照射装置を示す構成図である。
【図３】図１の粒子線照射装置を示す鳥瞰図である。
【図４】図１の他の粒子線照射装置を示す構成図である。
【図５】本発明の実施の形態２における粒子線照射装置を示す構成図である。
【図６】本発明の実施の形態３における粒子線照射装置を示す構成図である。
【図７】本発明の実施の形態４における粒子線照射装置を示す構成図である。
【図８】本発明の実施の形態５における粒子線照射装置を示す構成図である。
【発明を実施するための形態】
【００２２】
実施の形態１．
図１は本発明の実施の形態１における粒子線治療装置の概略構成図である。図２は粒子線照射装置を示す構成図であり、図３は粒子線照射装置の鳥瞰図である。図３（ｂ）は図３（ａ）のＡで示された部分を拡大した図である。粒子線治療装置５１は、イオンビーム発生装置５２と、イオンビーム輸送系５９と、粒子線照射装置５８ａ、５８ｂとを備える。イオンビーム発生装置５２は、イオン源（図示せず）と、前段加速器５３と、シンクロトロン５４とを有する。粒子線照射装置５８ｂは回転ガントリー（図示せず）に設置される。粒子線照射装置５８ａは回転ガントリーを有しない治療室に設置される。イオンビーム輸送系５９の役割はシンクロトロン５４と粒子線照射装置５８ａ、５８ｂの連絡にある。イオンビーム輸送系５９の一部は回転ガントリー（図示せず）に設置され、その部分には複数の偏向電磁石５５ａ、５５ｂ、５５ｃを有する。
【００２３】
イオン源で発生した陽子線等の粒子線である荷電粒子ビーム１は、前段加速器５３で加速され、シンクロトロン５４に入射される。荷電粒子ビーム１は、所定のエネルギーまで加速される。シンクロトロン５４から出射された荷電粒子ビーム１は、イオンビーム輸送系５９を経て粒子線照射装置５８ａ、５８ｂに輸送される。粒子線照射装置５８ａ、５８ｂは荷電粒子ビーム１を照射対象（図示せず）に照射する。
【００２４】
図２及び図３に基づいて、本発明の実施の形態１における粒子線治療装置の粒子線照射装置の構成について説明する。イオンビーム発生装置５２で発生され、所定のエネルギーまで加速された荷電粒子ビーム１は、イオンビーム輸送系５９を経由し、粒子線照射装置５８へと導かれる。粒子線照射装置５８は、ビームの進路を偏向する偏向電磁石２、偏向電磁石３、偏向電磁石４及び偏向電磁石５と、深さ方向の照射野を拡大するリッジフィルタ６と、偏向電磁石２乃至５を制御する制御器（図示せず）と、から構成される。偏向電磁石２乃至５は偏向器であり、偏向電磁石２及び偏向電磁石３はリッジフィルタ６の上流側に配置される上流側偏向器であり、偏向電磁石４及び偏向電磁石５はリッジフィルタ６の下流側に配置される下流側偏向器である。
【００２５】
リッジフィルタは、一般的に、例えば特許文献２の図２に示すように、概三角柱を組み合わせた形状を有し、特許文献２の図３のような断面形状である。リッジフィルタは、荷電粒子ビーム１が通過する位置によって失うエネルギーが異なる厚さ分布を有する。本発明の実施の形態１におけるリッジフィルタ６は、様々な深さ方向の照射野の厚みが実現できるよう、図２及び図３に示すように、異なった高さの概三角注で構成し、すなわち異なる厚さ分布の山を複数有するように構成する。これにより、ビームがリッジフィルタ６のどの場所を通過させるかを制御することによって、深さ方向の照射野の厚みを変えることができる。
【００２６】
粒子線照射装置５８の動作につて説明する。偏向電磁石２、偏向電磁石３、偏向電磁石４及び偏向電磁石５は、２つの機能のために用いる。１つ目の機能は、荷電粒子ビーム１を偏向し、リッジフィルタ上の通過位置を変えることである。２つ目の機能は、荷電粒子ビーム１を揺動し、線量分布を均一にすることである。この２つの機能を実現するため、本発明の実施の形態１の偏向電磁石２、偏向電磁石３、偏向電磁石４及び偏向電磁石５は、それぞれ荷電粒子ビーム１を走査する方向が同じ方向（図２では左右方向、Ｘ方向）になるよう、配置する。偏向電磁石２と偏向電磁石３を組み合わせることで、荷電粒子ビーム１のビーム軸７に平行な平行ビームを得ることができる。偏向電磁石２と偏向電磁石３とで偏向する荷電粒子ビーム１の角度を同じ大きさで反対の向きに、偏向電磁石４と偏向電磁石５とで偏向する荷電粒子ビーム１の角度を同じ大きさで反対の向きにすることにより、荷電粒子ビーム１を照射目標であるアイソセンタへと導くことができる。図２において、ビーム軸７の方向はＺ方向であり、図２の紙面に垂直な方向はＹ方向である。
【００２７】
このように、偏向電磁石２乃至５は荷電粒子ビーム１を走査する方向がすべて同じ方向であるため、ワブラー電磁石の組やスキャニング電磁石の組などの一般的なビーム走査手段と違って、偏向電磁石２乃至５は磁極間の距離をすべて等しくすることができる。したがって、他の偏向電磁石の下流側に設置されていても、磁極間の距離を狭いままにでき、偏向電磁石を駆動する電源を大容量とする必要がない。
【００２８】
制御器（図示せず）は、偏向電磁石２と偏向電磁石３とで偏向する荷電粒子ビーム１の角度を同じ大きさで反対の向きに、偏向電磁石４と偏向電磁石５とで偏向する荷電粒子ビーム１の角度を同じ大きさで反対の向きになるよう、偏向電磁石２乃至５を制御する。これにより１つ目の機能が実現される。また、制御器は、荷電粒子ビーム１を揺動するよう、具体的には図２において荷電粒子ビーム１がリッジフィルタ６の少なくともリッジ１山分の位置関係にある状態ａと状態ｂとを繰り返すよう、すなわち荷電粒子ビーム１ａと荷電粒子ビーム１ｂとを繰り返すよう、偏向電磁石２乃至５を制御する。これにより２つ目の機能が実現される。なお、荷電粒子ビーム１は、ひとつのスポットを照射している時間内に、荷電粒子ビーム１ａの状態と荷電粒子ビーム１ｂの状態との間を少なくとも１回揺動されていればよい。
【００２９】
実施の形態１の粒子線照射装置５８は、荷電粒子ビーム１をリッジフィルタ６の異なる位置を通過するように揺動するので、リッジフィルタ６の駆動を不要にできる。しがたって、リッジフィルタ６を駆動することに伴う騒音をなくし、患者に対して不快感や不安感を与えることなく、特許文献２の装置で得られるものと同等な、均一な線量分布を達成することができる。
【００３０】
実施の形態１の粒子線照射装置５８は、リッジフィルタ６の上流側の偏向電磁石を一対の偏向電磁石２及び３で構成したので、荷電粒子ビーム１のビーム軸７に平行な平行ビームを得ることができる。リッジフィルタ６を通過する荷電粒子ビーム１をビーム軸７に平行な平行ビームにすることで、荷電粒子ビーム１がリッジフィルタ６を斜めに通過する場合に比べてビーム径を小さくすることができる。ビーム径を小さくした深さ方向に均一な線量分布を得る場合に有効である。
【００３１】
実施の形態１の粒子線照射装置５８は、異なる厚さ分布の山を複数有する、すなわち多種類のリッジを有するリッジフィルタ６を備え、荷電粒子ビーム１がリッジフィルタ６を通過する位置を変更するように上流の偏向電磁石２及び３を制御するので、患者毎にリッジフィルタを交換する必要がなく、リッジフィルタ交換の手間が省ける。また、厚みに偏差があるような患部に対してもリッジフィルタ６を通過する位置を変更することで、リッジフィルタ交換時間を省けるので、短時間で照射を行うことができる。
【００３２】
実施の形態１の粒子線照射装置５８は、リッジフィルタ６の上流側の偏向電磁石を一対の偏向電磁石２及び３と、リッジフィルタ６の下流側の偏向電磁石を一対の偏向電磁石４及び５との二対（上流、下流）の偏向電磁石を用いて、上流側の偏向電磁石で偏向する荷電粒子ビーム１の角度を同じ大きさで反対の向きに、下流側の偏向電磁石で偏向する荷電粒子ビーム１の角度を同じ大きさで反対の向きにすることにより、粒子線照射装置５８のアイソセンタの変動を防止することができる。アイソセンタが変動しないので、移動したアイソセンタに合わせて患者を移動させることがなく、照射の位置決め時間を短縮することができる。
【００３３】
なお、荷電粒子ビーム１を偏向する１つの偏向電磁石２だけで、荷電粒子ビーム１をリッジフィルタ６の異なる位置を通過するように揺動する場合でも、リッジフィルタ６の駆動を不要にできる。図４は他の粒子線照射装置を示す構成図である。荷電粒子ビーム１を偏向し、リッジフィルタ上の通過位置を変え、荷電粒子ビーム１を荷電粒子ビーム１ａと荷電粒子ビーム１ｂとを繰り返すように揺動することで、線量分布を深さ方向に均一にすることができる。図２の粒子線照射装置に比べて、リッジフィルタ６を通過した荷電粒子ビーム１はビーム径が広くなるが、偏向電磁石を少なくすることができるメリットがある。したがって、図４に示した粒子線照射装置は、リッジフィルタ６を駆動することに伴う騒音をなくし、患者に対して不快感や不安感を与えることなく、特許文献２の装置で得られるものと同等な、均一な線量分布を達成することができる。
【００３４】
以上のように実施の形態１の粒子線照射装置５８によれば、荷電粒子ビーム１が通過する位置によって失うエネルギーが異なる厚さ分布を有するリッジフィルタ６と、荷電粒子
ビーム１を偏向する偏向器２と、荷電粒子ビーム１がリッジフィルタ６の前記厚さ分布を通過するように偏向器２を制御する制御器を備えるので、リッジフィルタ６を駆動することに伴う騒音をなくし、患者に対して不快感や不安感を与えることなく、均一な線量分布を達成することができる。
【００３５】
実施の形態１の粒子線治療装置５１によれば、荷電粒子ビーム１を発生させ、加速器５４により所定のエネルギーまで加速するイオンビーム発生装置５２と、イオンビーム発生装置５２により加速された荷電粒子ビーム１を輸送するイオンビーム輸送系５９と、イオンビーム輸送系５９で輸送された荷電粒子ビーム１を照射対象に照射する粒子線照射装置５８とを備え、粒子線照射装置５８は、荷電粒子ビーム１が通過する位置によって失うエネルギーが異なる厚さ分布を有するリッジフィルタ６と、荷電粒子ビーム１を偏向する偏向器２と、荷電粒子ビーム１がリッジフィルタ６の前記厚さ分布を通過するように偏向器２を制御する制御器を有するので、リッジフィルタを駆動することに伴う騒音をなくし、患者に対して不快感や不安感を与えることなく、均一な線量分布の荷電粒子ビームを用いた粒子線治療を実現することができる。
【００３６】
なお、荷電粒子ビーム１ａと荷電粒子ビーム１ｂはリッジフィルタ６のリッジの１山分の位置関係にある場合で説明したが、同じ高さの山が連続して複数ある場合には、荷電粒子ビーム１ａと荷電粒子ビーム１ｂとがリッジの１山分以上の位置関係になるように制御器が制御を行えば、均一な線量分布を得ることができる。
【００３７】
また、下流側の偏向電磁石で偏向する荷電粒子ビーム１の角度を、上流側の偏向電磁石で偏向する荷電粒子ビーム１の角度とは異なる角度にしても構わない。下流側の偏向電磁石で荷電粒子ビーム１のビーム径を絞るので、小さなビーム径の平行ビームで深さ方向に均一な線量分布を得ることができる。
【００３８】
実施の形態２．
図５は、本発明の実施の形態２における粒子線照射装置を示す構成図である。実施の形態１の粒子線照射装置とはペンシルビーム走査法で用いる照射系２１を有する点で異なる。ペンシルビーム走査法で用いる照射系２１は、横方向照射野拡大部２０と、荷電粒子ビーム１の通過位置を検出する位置モニタ１２ａ、１２ｂと荷電粒子ビーム１の線量を検出する線量モニタ１３を有する。横方向照射野拡大部２０は、Ｘ方向スキャニング電磁石１０とＹ方向スキャニング電磁石１１と、Ｘ方向スキャニング電磁石１０及びＹ方向スキャニング電磁石１１への制御入力を出力するスキャニング電源（図示せず）を有する。Ｘ方向スキャニング電磁石１０及びＹ方向スキャニング電磁石１１は、ビーム走査手段である。深さ方向照射野拡大部１４は、偏向電磁石２乃至４と、リッジフィルタ６と、図示しない制御器を有する。深さ方向照射野拡大部１４は実施の形態１で説明した粒子線照射装置の構成である。
【００３９】
横方向照射野拡大部２０は、Ｘ方向スキャニング電磁石１０及びＹ方向スキャニング電磁石１１を用いて、粒子線ビームをＸＹ面内で走査し、その粒子線ビームの照射位置を時間とともに移動させることにより、横方向に広い照射野を得ることができる。
【００４０】
実施の形態２の粒子線照射装置５８は、深さ方向照射野拡大部１４とペンシルビーム走査法で用いる照射系２１を有するので、リッジフィルタを駆動することに伴う騒音をなくし、患者に対して不快感や不安感を与えることなく、均一な線量分布で深さ方向及び横方向の照射野拡大を達成することができる。
【００４１】
実施の形態３．
図６は、本発明の実施の形態３における粒子線照射装置を示す構成図である。実施の形
態２の粒子線照射装置とはワブラー法で用いる照射系２３を有する点で異なる。ワブラー法で用いる照射系２３は、横方向照射野拡大部２２と、荷電粒子ビーム１の通過位置を検出する位置モニタ１２ａ、１２ｂと荷電粒子ビーム１の線量を検出する線量モニタ１３を有する。横方向照射野拡大部２２は、Ｘ方向ワブラー電磁石１５とＹ方向ワブラー電磁石１６と、Ｘ方向ワブラー電磁石１５及びＹ方向ワブラー電磁石１６への制御入力を出力するスキャニング電源（図示せず）を有する。Ｘ方向ワブラー電磁石１５及びＹ方向ワブラー電磁石１６は、ビーム走査手段である。図示しないが、散乱体、コリメータ、レンジシフタ、ボーラス等も配置される。
【００４２】
横方向照射野拡大部２２は、Ｘ方向ワブラー電磁石１５及びＹ方向ワブラー電磁石１６を用いて、荷電粒子ビーム１をドーナツ状にＸＹ面内で走査させ、このドーナツ状に走査される荷電粒子ビーム１を散乱体に照射することにより、横方向に広い照射野を得ることができる。
【００４３】
実施の形態３の粒子線照射装置５８は、深さ方向照射野拡大部１４とワブラー法で用いる照射系２３を有するので、リッジフィルタを駆動することに伴う騒音をなくし、患者に対して不快感や不安感を与えることなく、均一な線量分布で深さ方向及び横方向の照射野拡大を達成することができる。
【００４４】
実施の形態４．
図７は、本発明の実施の形態４における粒子線照射装置を示す構成図である。実施の形態２の粒子線照射装置とは、ペンシルビーム走査法で用いる照射系２４にＸ方向スキャニング電磁石１０がない点で異なる。深さ方向照射野拡大部１４の下流側の偏向電磁石４、５をペンシルビーム走査法で用いるＸ方向スキャニング電磁石としても用い、兼用したものである。この場合、偏向電磁石５はＸ方向スキャニング電磁石に相当し、偏向電磁石４はＸ方向スキャニング電磁石に導くように偏向するＸ方向下流側偏向器に相当する。
【００４５】
深さ方向照射野拡大部１４の下流側の偏向電磁石４、５をペンシルビーム走査法で用いるＸ方向走スキャニング磁石に兼用したので、ペンシルビーム走査法で用いる照射系２４におけるスキャニング電磁石は、Ｙ方向スキャニング電磁石１１のみで、実施の形態４の粒子線照射装置はペンシルビーム走査法を実現できる。
【００４６】
実施の形態４の粒子線照射装置５８は、実施の形態２に比べて小型にすることができる。したがって、実施の形態２に比べて小型の粒子線照射装置で、リッジフィルタを駆動することに伴う騒音をなくし、患者に対して不快感や不安感を与えることなく、均一な線量分布で深さ方向及び横方向の照射野拡大を達成することができる。
【００４７】
実施の形態５．
図８は、本発明の実施の形態５における粒子線照射装置を示す構成図である。実施の形態３の粒子線照射装置とは、ワブラー法で用いる照射系２５にＸ方向ワブラー電磁石１５がない点で異なる。深さ方向照射野拡大部１４の下流側の偏向電磁石４、５をワブラー法で用いるＸ方向ワブラー電磁石としても用い、兼用したものである。この場合、偏向電磁石５はＸ方向ワブラー電磁石に相当し、偏向電磁石４はＸ方向ワブラー電磁石に導くように偏向するＸ方向下流側偏向器に相当する。
【００４８】
深さ方向照射野拡大部１４の下流側の偏向電磁石４、５をワブラー法で用いるＸ方向ワブラー電磁石に兼用したので、ワブラー法で用いる照射系２５におけるワブラー電磁石は、Ｙ方向ワブラー電磁石１６のみで、実施の形態５の粒子線照射装置はワブラー法を実現できる。
【００４９】
実施の形態５の粒子線照射装置５８は、実施の形態３に比べて小型にすることができる。したがって、実施の形態３に比べて小型の粒子線照射装置で、リッジフィルタを駆動することに伴う騒音をなくし、患者に対して不快感や不安感を与えることなく、均一な線量分布で深さ方向及び横方向の照射野拡大を達成することができる。
【産業上の利用可能性】
【００５０】
この発明に係る粒子線照射装置および粒子線治療装置は、医療用や研究用に用いられる粒子線治療装置に好適に適用できる。
【符号の説明】
【００５１】
１      荷電粒子ビーム                  １ａ    荷電粒子ビーム
１ｂ    荷電粒子ビーム                  ２      偏向電磁石
３      偏向電磁石                      ４      偏向電磁石
５      偏向電磁石                      ６      リッジフィルタ
７      ビーム軸                        １０    Ｘ方向スキャニング電磁石
１１    Ｙ方向スキャニング電磁石        １５    Ｘ方向ワブラー電磁石
１６    Ｙ方向ワブラー電磁石            ５２    イオンビーム発生装置
５４    シンクロトロン                  ５８    粒子線照射装置
５８ａ  粒子線照射装置                  ５８ｂ  粒子線照射装置
５９    イオンビーム輸送系
【図１】
0005641857.tif 000002
【図２】
0005641857.tif 000003
【図３】
0005641857.tif 000004
【図４】
0005641857.tif 000005
【図５】
0005641857.tif 000006
【図６】
0005641857.tif 000007
【図７】
0005641857.tif 000008
【図８】
0005641857.tif 000009